(57)【特許請求の範囲】
【請求項１】
伸縮性を有する生地で形成され身体にフィットする上衣の胴部から延設された一対の袖部側面の前記生地に、着衣及び脱衣に際して、身体にフィットした前記生地の体表面に対する位置調整をするために、着用者の指が入る程度の指掛け部が設けられ、前記指掛け部は、前記生地に沿って互いに重ね合わせて縫い付けられた布体と前記生地との間に形成され、前記着用者の指が入る程度の空間を形成可能な隙間から成り、前記一対の袖部側面の長手方向に沿って連続的に複数設けられ、前記生地表面と前記布体との間の前記隙間に指を挿入して前記位置調整に使用されることを特徴とする衣服。
【請求項２】
伸縮性を有する生地で形成され身体にフィットするパンツの胴部から延設された一対の脚部側面の前記生地に、着衣及び脱衣に際して、身体にフィットした前記生地の体表面に対する位置調整をするために、着用者の指が入る程度の指掛け部が設けられ、前記指掛け部は、前記生地に沿って互いに重ね合わせて縫い付けられた布体と前記生地との間に形成され、前記着用者の指が入る程度の空間を形成可能な隙間から成り、前記一対の脚部側面の長手方向に沿って連続的に複数設けられ、前記生地表面と前記布体との間の前記隙間に指を挿入して前記位置調整に使用されることを特徴とする衣服。
【請求項３】
伸縮性を有する生地で形成され身体にフィットする上衣部の胴部から延設された一対の袖側面の前記生地、及び伸縮性を有する生地で形成され身体にフィットするパンツ部の胴部から延設された一対の脚部側面の前記生地の少なくとも一方に、着衣及び脱衣に際して、身体にフィットした前記生地の体表面に対する位置調整をするために、着用者の指が入る程度の指掛け部が設けられ、前記指掛け部は、前記生地に沿って互いに重ね合わせて縫い付けられた布体と前記生地との間に形成され、前記着用者の指が入る程度の空間を形成可能な隙間から成り、前記一対の袖部側面及び前記一対の脚部側面の少なくとも一方の長手方向に沿って連続的に複数設けられ、前記生地表面と前記布体との間の前記隙間に指を挿入して前記位置調整に使用されることを特徴とするワンピース型の衣服。
【請求項４】
前記生地は、撥水性を備えている請求項１乃至３いずれか記載の衣服。
【請求項５】
前記指掛け部は、前記布体の長手方向に沿って前記布体に形成された複数の指掛け孔の周縁部と前記生地との間により形成される請求項１乃至４のいずれか記載の衣服。
【請求項６】
前記指掛け部は、前記生地の表面に前記布体を重ね合わせ、所定間隔の縫合部を前記布体に形成し、前記縫合部間の前記隙間に指を挿入可能に形成された請求項１乃至４のいずれか記載の衣服。
【請求項７】
前記指掛け部は、前記生地の表面に布体を重ね合わせ、この布体の周縁部の一部範囲を除いて袋状に縫合して設けられた請求項１乃至４のいずれか記載の衣服。
【発明の詳細な説明】
【技術分野】
【０００１】
この発明は、手足が不自由な障害者や高齢者等に着用される衣服に関する。
【背景技術】
【０００２】
一般に市販されている衣服は、健常者が着衣、脱衣するのに容易であっても、手足が不自由な障害者や高齢者にとっては容易ではない場合が多い。例えば、上衣の袖の中に腕を通すときやパンツの脚部の中に足を通すとき、腕又は足の表面に生地が纏わりついて通りが悪く、当該生地部分を指で摘む等してずらすような動作が必要になる。特に、リハビリ用の水着やフィットネスウエア等のように生地が身体にフィットするタイプの衣服は、この問題が顕著であり、手や足が不自由な障害者等にとって非常に着衣、脱衣のしにくい衣服といえる。
【０００３】
従来、着衣や脱衣がしやすいように改善された衣服として、例えば特許文献１に開示されているように、前部を着物のように重ね合わせる構造の上着と、裾の後方部分に短冊状の端部が縫い付けられたひれが設けられたズボンとで構成されたオートバイ用合羽がある。このオートバイ用合羽は、使用者がズボンを脱ぐとき、上記ひれを引っ張り、裾を靴の踵の外側に誘導することによって、裾が靴に引っ掛かることなくズボンを脱ぐことができる。
【先行技術文献】
【特許文献】
【０００４】
【特許文献１】特開２００１−２０７３１０号公報
【発明の概要】
【発明が解決しようとする課題】
【０００５】
特許文献１のオートバイ用合羽は、ズボンを脱衣するとき、裾に設けられたひれを手で握って引っ張る動作が必要であり、手に障害のある人や高齢者にとって簡単な動作ではない。
【０００６】
また、このオートバイ用合羽のズボンの裾にひれを設けた構成を、他の衣服に適用することも考えられる。しかし、特に生地が身体にフィットするタイプの衣服の場合、着衣のときに、上衣の袖口やパンツの裾の部分に設けた生地誘導用のひれを引っ張っても、腕や足の表面に纏わりつく生地をずらすことはできず、やはり纏わりつく生地部分を指で摘んでずらすような動作をしなければならない。従って、手足が不自由な障害者等は、自力で着衣、脱衣を行うことが困難であり、介助者の補助が必要であった。
【０００７】
この発明は、上記背景技術に鑑みてなされたもので、着衣、脱衣を容易に行うことができ、デザイン性にも優れた衣服を提供することを目的とする。
【課題を解決するための手段】
【０００８】
この発明は、伸縮性を有する生地で形成され身体にフィットする上衣の胴部から延設された一対の袖部側面の前記生地に、着衣及び脱衣に際して、身体にフィットした前記生地の体表面に対する位置調整をするために、着用者の指が入る程度の指掛け部が設けられ、前記指掛け部は、前記生地に沿って互いに重ね合わせて縫い付けられた布体と前記生地との間に形成され、前記着用者の指が入る程度の空間を形成可能な隙間から成り、前記一対の袖部側面の長手方向に沿って連続的に複数設けられ、前記生地表面と前記布体との間の前記隙間に指を挿入して前記位置調整に使用される衣服である。
【０００９】
またこの発明は、伸縮性を有する生地で形成され身体にフィットするパンツの胴部から延設された一対の脚部側面の前記生地に、着衣及び脱衣に際して、身体にフィットした前記生地の体表面に対する位置調整をするために、着用者の指が入る程度の指掛け部が設けられ、前記指掛け部は、前記生地に沿って互いに重ね合わせて縫い付けられた布体と前記生地との間に形成され、前記着用者の指が入る程度の空間を形成可能な隙間から成り、前記一対の脚部側面の長手方向に沿って連続的に複数設けられ、前記生地表面と前記布体との間の前記隙間に指を挿入して前記位置調整に使用される衣服である。
【００１０】
またこの発明は、伸縮性を有する生地で形成され身体にフィットする上衣部の胴部から延設された一対の袖側面の前記生地、及び伸縮性を有する生地で形成され身体にフィットするパンツ部の胴部から延設された一対の脚部側面の前記生地の少なくとも一方に、着衣及び脱衣に際して、身体にフィットした前記生地の体表面に対する位置調整をするために、着用者の指が入る程度の指掛け部が設けられ、前記指掛け部は、前記生地に沿って互いに重ね合わせて縫い付けられた布体と前記生地との間に形成され、前記着用者の指が入る程度の空間を形成可能な隙間から成り、前記一対の袖部側面及び前記一対の脚部側面の少なくとも一方の長手方向に沿って連続的に複数設けられ、前記生地表面と前記布体との間の前記隙間に指を挿入して前記位置調整に使用されるワンピース型の衣服である。
【００１１】
前記生地は、撥水性を備えているものである。また、前記指掛け部は、前記布体の長手方向に沿って前記布体に形成された複数の指掛け孔の周縁部と前記生地との間により形成されるものである。または、前記指掛け部は、前記生地の表面に前記布体を重ね合わせ、所定間隔の縫合部を前記布体に形成し、前記縫合部間の前記隙間に指を挿入可能に形成されたものである。または、前記指掛け部は、前記生地の表面に布体を重ね合わせ、この布体の周縁部の一部範囲を除いて袋状に縫合して設けられたものである。
【発明の効果】
【００１２】
本発明の衣服は、生地表面の所定部分に指掛け部が設けられ、この指掛け部を利用すれば、手足が不自由で握力が弱い障害者や高齢者でも容易に着衣、脱衣を行うことができ、一般の健常者にとっても着替えが容易になる。特に、身体にフィットする伸縮性や撥水性を備えた生地でできた水着やフィットネスウエア等の衣服の場合、袖や脚部に手足を通すときに生地部分を指で摘んでずらすような比較的難しい動作が不要になり、着衣、脱衣のしやすさが格段に改善される。
【００１３】
また、指掛け部として、所定の布体を生地表面に縫合する形態にすれば、指掛け部を装飾的要素としても利用することができ、製造が容易でデザイン性にも優れた衣服を提供することができる。
【図面の簡単な説明】
【００１４】
【図１】この発明の衣服の一実施形態の水着を着用した様子を示す斜視図である。
【図２】この実施形態の水着の指掛け部を示す正面図（ａ）、Ａ−Ａ断面図（ｂ）である。
【図３】この実施形態の水着の指掛け部の変形例を示す正面図（ａ）、Ｂ−Ｂ断面図（ｂ）である。
【図４】この実施形態の水着の指掛け部の他の変形例を示す正面図（ａ）、Ｃ−Ｃ断面図（ｂ）である。
【図５】この発明の一実施例に係る３種類の水着及び従来の水着について、着衣、脱衣のしやすさを評価した結果を示すグラフである。
【発明を実施するための形態】
【００１５】
以下、この発明の衣服の一実施形態である水着１０について、図１、図２に基づいて説明する。水着１０は、事故やけが等により手足等に障害を負った人がプール等で水中リハビリを行うときに着用する水着であり、図１に示すように、上衣１２とパンツ１４で構成されている。使用者が男性の場合はパンツ１４だけが使用される場合もある。
【００１６】
上衣１２とパンツ１４の生地は、いずれも保温性、撥水性、速乾性に優れ、身体にフィットする伸縮性を備えたものが使用され、例えば、縦横方向に伸縮する撥水性のいわゆる２ウエイニット素材と、耐塩素性ポリウレタン素材と、撥水性を有しウールのようなニット裏地とが積層された３層構造の生地が好適である。なお、この生地は伸縮性と撥水性の少なくともいずれかを有しているものでも良い。
【００１７】
上衣１２は、胴部１６と胴部１６から延設された一対の袖部１８を有し、袖部１８の側面には、複数の指掛け部２０が設けられている。指掛け部２０は、中央に指掛け孔２２ａが形成された布体２２を用いて構成される。布体２２は、図２に示すように、一方向に長い帯状であり、袖部１８の肩から袖口１８ａまでの側面（いわゆる袖ラインの位置）に配置され、布体２２の周縁部が、連続的に袖部１８の生地に縫合されて、縫合部２３が形成されている。布体２２は、上衣１２の生地に沿って互いに重ね合わせて縫い付けられ、指掛け部２０は、布体２２と生地との間に形成される隙間であって、着用者の指が入る程度の空間を形成可能な隙間から成る。
【００１８】
指掛け部２０は、各指掛け部２０間の境界部も合わせて袖部１８の生地に縫合してもよく、布体２２の縫合の強度をより高くすることができる。また、布体２２は、１枚の生地を長手方向の中心線で折り曲げて、二重にして袖部１８の生地に縫合しても良い。この場合、指掛け孔２２ａの周縁部はかがり縫いして、表裏の生地を一体に縫い付けておく。
【００１９】
パンツ１４は、胴部２４と胴部２４から延設された一対の脚部２６を有し、胴部２４及び脚部２６の側面には、複数の指掛け部２８が設けられている。指掛け部２８は、中央に指掛け孔３０ａが形成された布体３０を用いて構成される。布体３０は、図２に示す指掛け部２０と同様に、一方向に長い帯状であり、胴部２４の腰から裾部３２までの側面（いわゆるパンツラインの位置）に配置され、布体３０の周縁部が、連続的に胴部２４と脚部２６の生地に縫合されて、縫合部２３が形成されている。パンツ１４においても、各指掛け部２８間の境界部も合わせて胴部２４と脚部２６の生地に縫合してもよく、布体３０の縫合の強度をより高くすることができる。さらに、指掛け部２０と同様に二重にして胴部２４と脚部２６の生地に縫合しても良い。
【００２０】
次に、水着１０を着衣する動作ついて説明する。上衣１２を着衣するとき、使用者は、胴部１６の内側から袖部１８の中に腕を通す。通常は、腕を差し込むと腕に生地が纏わりついて通しにくいので、纏わりつく部分にある指掛け部２０の指掛け孔２２ａに指を入れ、指を引っ掛けて生地を腕の挿入方向に引っ張るようにする動作を行う。このとき、指先を指掛け孔２２ａに差し込むと、布体２２の中央部分が生地から浮き上がり、指が深く入り込んでしっかりと引っ掛かるので、手が不自由で握力が弱い人でも纏わりつく生地を簡単に腕の挿入方向にずらすことができる。このような動作を複数の指掛け部２０を利用して繰り返すことにより、腕を袖部１８の深くまで通し、さらに頭を胴部１６の上端開口から出せば、図１のように着衣した状態になる。
【００２１】
パンツ１４を着衣するときも同様に、使用者は、胴部２４の内側から脚部２６の中に足を通す。通常は、足を差し込むと足に生地が纏わりついて通しにくいので、纏わりつく部分にある指掛け部２８の指掛け孔３０ａに指を入れ、指を引っ掛けて生地を足の挿入方向に引っ張るようにする動作を行う。このとき、指先を指掛け孔３０ａに差し込むと、布体３０の中央部分が生地から浮き上がり、指が深く入り込んでしっかりと引っ掛かるので、手が不自由で握力が弱い人でも纏わりつく生地を簡単に足の挿入方向にずらすことができる。このような動作を複数の指掛け部２８を利用して繰り返すことにより、足を脚部２６の深くまで通し、さらに腰を胴部２４上端に収めれば、図１のように着衣した状態になる。
【００２２】
一方、上衣１２及びパンツ１４を脱衣するときは、着衣のときと同様の動作を反対の手順で行えばよい。
【００２３】
以上説明したように、水着１０は、上衣１２及びパンツ１４の生地表面の所定部分に複数の指掛け部２０，２８が設けられ、この指掛け部２０，２８を利用すれば、手足が不自由で握力が弱い障害者や高齢者でも容易に着衣、脱衣を行うことができる。特に、水着１０は、身体にフィットする伸縮性を備えた生地でできているが、袖１８や脚部２６に手足を通すときに生地部分を指で摘んでずらすような難しい動作が不要になり、着衣、脱衣のしやすさが格段に改善される。また、指掛け部２０，２８は、布体２２，３０が生地の袖ライン及びパンツラインに縫合して設けられているので、通常の水着と同様にデザイン性に優れ、製造も容易である。
【００２４】
次に、上記上衣１２の指掛け部２０の変形例である指掛け部３４について、図３に基づいて説明する。指掛け部３４は、帯状の布体３６を用いて構成される。布体３６は、袖１８の肩から袖口１８ａまで側面（いわゆる袖ラインの位置）に配置される。そして、図３に示すように、布体２２を所定間隔で、長手方向と直交する方向に袖部１８の生地に縫合することによって、布体２２と上衣１２の袖部１８の生地で成る複数の指掛け孔３６ａが形成される。
【００２５】
上衣１２を着衣するとき、使用者は、胴部１６の内側から袖部１８の中に腕を通し、腕に纏わりつく部分にある指掛け孔３６ａに指を挿入して引っ掛け、上記と同様に生地をずらす動作を行う。この構造により、手が不自由で握力が弱い人でも纏わりつく生地を簡単にずらすことができる。また、上衣１２を脱衣するときは、着衣のときと同様の動作を反対の手順で行えばよい。
【００２６】
また、図１のパンツ１４の指掛け部２８に代えて、上記変形例の指掛け部３４と同様の指掛け部を設けることもできる。
【００２７】
この指掛け部３４は、布体３６の内側に孔を開ける必要がないので、袖ラインやパンツラインの幅を細くするデザインされた水着１０を構成する場合に適している。
【００２８】
次に、上記上衣１２の指掛け部２０の他の変形例である指掛け部３８について、図４に基づいて説明する。指掛け部３８は、矩形の布体３８を用いて構成される。複数の布体３８は、袖１８の肩から袖口１８ａまで側面（いわゆる袖ラインの位置）に所定の間隔を空けて配置される。そして、図４に示すように、各布体４０の袖口１８ａ側の１辺を除く他の３辺を縫合することによって、複数の指掛け袋部４０ａが形成される。
【００２９】
上衣１２を着衣するとき、使用者は、胴部１６の内側から袖部１８の中に腕を通し、腕に纏わりつく部分にある指掛け袋部４０ａに指を入れて引っ掛け、生地をずらす動作を行う。この構造により、手が不自由で握力が弱い人でも纏わりつく生地を簡単にずらすことができる。
【００３０】
また、図１のパンツ１４の指掛け部２８に代えて、上記変形例の指掛け部３８と同様の指掛け部を設けることもできる。
【００３１】
この指掛け部３８は、袋状に形成された指掛け袋部４０ａに指を入れることができるので指の引っ掛かり具合がよく生地をずらしやすく、生地をずらすときに布体４０に加わるストレスも軽減され、布地４０が破れにくい。
【００３２】
また、指掛け部３８は、指掛け袋部４０ａが袖口１８ａ側に開口しているので、着衣するときに使用しやすくなっているが、使用者の要望に合わせ、指掛け袋部４０ａを肩側に開口するように設け、脱衣するときに使用しやすくしたり、開口の方向が反対の指掛け部３８を交互に配置するなどしてもよい。
【００３３】
なお、この発明の衣服は、上記実施形態に限定されるものではなく、リハビリ用の水着の他、フィットネスウエア、介護用衣服など、手足が不自由な障害者や高齢者等に着用される様々な衣服に適用することができる。さらに、この発明は、健常な大人や子供用の水着やフィットネスウエア、潜水着、その他体に密着する衣服に適用できるものである。
【００３４】
また、上衣とパンツが連接されたワンピース型の衣服の上衣部の胴部から延設された一対の袖の側面、又はパンツ部の胴部から延設された一対の脚部の側面、又はその両方に、着衣及び脱衣に際して生地の体表面に対する位置をずらすために用いる指掛け部を設けた場合も、上記と同様の作用効果を得ることができる。
【実施例】
【００３５】
次に、水中リハビリを行うときに着用する上記の水着について、図２の形態の指掛け部を備えた水着１０（Ａタイプと称す）、図３の形態の指掛け部を備えた水着１０（Ｂタイプと称す）、図４の形態の指掛け部を備えた水着１０（Ｃタイプと称す）、及び水着１０から指掛け部を取り除いた水着（従来タイプと称す）を試作し、着衣、脱衣のしやすさを評価した。評価方法は、試験者９人が４種類の水着を試着し各水着について５段階で採点し、９人の点数を水着ごとに合計した。点数が高いものほど評価が高い。
【００３６】
評価結果は、図５に示すように、本発明の実施形態に係るＡタイプ，Ｂタイプ，Ｃタイプが、従来タイプよりも、着衣及び脱衣がしやすいという評価を得た。
【符号の説明】
【００３７】
１０  水着
１２  上衣
１４  パンツ
１６  胴部
１８  袖部
１８ａ  袖口
２０，３４，３８  指掛け部
２２，３６，４０  布体
２２ａ，３６ａ  指掛け孔
２３  縫合部
２４  胴部
２６  脚部
２８  指掛け部
３０  布体
３２  裾部
４０ａ  指掛け袋部
【図１】
0005660526.tif 000002
【図２】
0005660526.tif 000003
【図３】
0005660526.tif 000004
【図４】
0005660526.tif 000005
【図５】
0005660526.tif 000006